(57)【要約】【課題】原稿載置トレイに載置された原稿の画像面の向きにより原稿を搬送する原稿搬送経路を切り換えることで、上記原稿の画像面の向きに関わらず適切な順で複数の連続する原稿を読み取ることができ、画像形成装置の大型化、複雑化及びコストアップ等を防止しつつ、原稿載置トレイに載置する原稿の画像面の向きを覚える等のユーザの負担を低減する。【解決手段】原稿を搬送する破線で示した第１の原稿搬送経路４３と実線で示した第２の原稿搬送経路４４とを併設し、第１の原稿搬送経路４３及び第２の原稿搬送経路４４に振り分けて原稿を搬送するため、この発明の切換手段である第１の分岐爪４５、第２の分岐爪４６、第３の分岐爪５２を配置する。原稿載置トレイ４２に載置された状態での原稿の画像面の向きに基づいて各分岐爪４５、４６、５２を切り換えて原稿搬送経路４３、４４を選択する。【選択図】図２
2004104247.tif 000002
【特許請求の範囲】
【請求項１】
原稿載置トレイに載置された原稿を原稿搬送経路に搬送して原稿排紙トレイに排紙する間に画像読取部を介して原稿の画像を読み取る原稿移動方式の画像読取装置において、
単一の画像読取部を経由する複数の原稿搬送経路と、
原稿載置トレイに載置された状態での原稿の画像面が上向きか下向きかを、画像読取部から読み取った原稿の画像データから判別する判別手段と、
前記判別手段の判別結果に基づいて、複数の原稿搬送経路から最適な原稿搬送経路の選択を行う切換手段と、を備えたことを特徴とする画像読取装置。
【請求項２】
前記切換手段は、前記判別結果に基づいて、原稿の画像面が画像読取部側に対向するように、原稿載置トレイから画像読取部へ原稿を導く最適な原稿搬送経路を選択することを特徴とする請求項１に記載の画像読取装置。
【請求項３】
１つの原稿載置トレイに対して複数の原稿搬送経路のそれぞれに対応した複数の原稿排紙トレイを設けたことを特徴とする請求項１又は２に記載の画像読取装置。
【請求項４】
前記複数の原稿搬送経路は、原稿載置トレイから搬送される原稿に対して、上下面を反転させて画像読取部に搬送後、一方の原稿排紙トレイに排紙する一方の原稿搬送経路と、
原稿載置トレイから搬送される原稿に対して、上下面を画像読取部に搬送後に反転させ、他方の原稿排紙トレイに排紙する他方の原稿搬送経路と、を含むことを特徴とする請求項３に記載の画像読取装置。
【請求項５】
原稿載置トレイに載置された状態での原稿の画像面が上向きか下向きかの設定入力を受け付ける入力手段を備え、
前記切換手段は、入力手段からの設定入力の結果に基づいて最適な原稿搬送経路を選択することを特徴とする請求項１に記載の画像読取装置。
【請求項６】
前記切換手段は、原稿載置トレイから搬送される１枚目の原稿について、画像読取部で原稿の一方の面が読み取られた後に、原稿載置トレイに再度搬送可能な状態で戻るように原稿搬送経路を選択することを特徴とする請求項１に記載の画像読取装置。
【請求項７】
前記１枚目の原稿の一方の面が、前記判別手段によって原稿の画像面と判別された場合、
前記１枚目の原稿において、原稿搬送経路にスイッチバックして一方の原稿排紙トレイに排紙し、
２枚目以降の原稿において、１枚目の原稿と同じ原稿搬送経路で搬送し、画像読取部にて原稿を読み取らせ、１枚目の原稿と同じ原稿排紙トレイに排紙することを特徴とする請求項６に記載の画像読取装置。
【請求項８】
前記１枚目の原稿の一方の面が、前記判別手段によって原稿の画像面ではないと判別された場合、
前記１枚目の原稿において、他方の面を読み取れるように切換手段で原稿搬送経路を選択後、搬送して画像読取部にて他方の面を読み取らせ、一方の原稿排紙トレイに排紙し、
２枚目以降の原稿において、画像面を読み取れるように切換手段で原稿搬送経路を選択後、搬送して画像読取部にて原稿を読み取らせ、他方の排紙トレイに排紙することを特徴とする請求項６に記載の画像読取装置。
【請求項９】
請求項１〜８の何れかに記載の画像読取装置を備えたことを特徴とする画像形成装置。
【請求項１０】
読み取った原稿の画像データをメモリするメモリを備え、装置の使用目的に応じてデータ転送手順を選択して転送するように制御する制御手段を備えたことを特徴とする請求項９に記載の画像形成装置。
【発明の詳細な説明】
【０００１】
【発明の属する技術分野】
本発明は、複写機やファクシミリ装置及びそれらの複合機等の画像形成装置で好適に実施され、原稿載置トレイに載置された原稿を搬送しながら順次原稿の画像を読み取る原稿移動方式の画像読取装置に関する。
【０００２】
【従来の技術】
一般に、画像形成装置に備えられた原稿移動方式の画像読取装置においては、原稿を原稿載置トレイに載置する際に、原稿の読み取る画像が形成されている面（以下、画像面と言う。）の向きと画像読取装置が原稿を読み取る方向とに相関性がある。このため画像読取装置は、原稿載置トレイ等に載置する原稿の画像面を上向き又は下向きにする等の原稿の画像面の向きを規制している。上記規制を行うことによって、画像形成で白紙の画像形成物が出力されるのを防止している。しかし、上記規制は、画像形成装置毎の構成によって異なるため、ユーザが画像形成装置毎の上記原稿の画像面の向きを覚える必要があった。
【０００３】
上記の問題を解決するため、原稿載置台にシートの読取対象面を上面側に載置する場合と下面側に載置する場合の何れの場合であってもシートの読取対象面を読取可能な画像読取装置が構成されている（例えば、特許文献１参照。）。
【０００４】
上記特許文献１の第１の構成では、画像読取装置は、シートの上面又は下面の両側の画像を読み取れる位置に移動するための移動手段を有する画像読取手段を備え、ユーザが画像形成装置を使用する際に、複写若しくはＦＡＸ等の使用目的を画像形成装置に入力し、入力結果から画像読取手段は画像を読み取れる読取位置に移動する。また、ユーザは使用目的に合わせてシートの読取対象面を上側若しくは下側に載置する。シートの読取対象面の積載方向を誤った場合は、画像形成装置から警告音が発せられ、ユーザは適正にシートを載置しなおして、画像形成が開始される。
【０００５】
第２の構成では、画像読取装置は、シートの上面側の画像を読み取るための第１の画像読取手段とシートの下面側の画像を読み取るための第２の画像読取手段とを備え、ユーザが画像形成装置を使用する際に、複写若しくはＦＡＸ等の使用目的を画像形成装置に入力し、入力結果とシートの読取対象面とに応じて各画像読取手段が画像読取動作を行う。また、使用目的に対応したシートの読取対象面の載置方向で無い場合でも、シート読取対象面側の画像データを読み取り、画像データのメモリソートを行い、画像を正しい順番に変更して複写等を行う。
【０００６】
【特許文献１】
特開平８−１８１８１５号公報（第１図、第１７図）
【発明が解決しようとする課題】
しかしながら、上記特許文献１の第１の構成では、画像読取手段が移動することによって、シートの読取対象面の積載方向が上下いずれであっても読み取ることができるものの、画像読取手段を移動させることにより画像形成装置は大型化、複雑化し、それに伴いコストアップを招来する。また、使用目的に応じて、ユーザがシートの読取対象面の上下の向きに応じてシートを載置する必要があるとともに、シートの読取対象面の積載方向を誤った場合、ユーザがシートを適正に載置しなおさなければならず手間がかかる。
【０００７】
また、上記特許文献１の第２の構成では、２つの画像読取手段の配置に伴いコストアップし、画像形成装置の構成も複雑化してしまう。
【０００８】
この発明の目的は、原稿載置トレイに載置された原稿の画像面の向きにより原稿を搬送する原稿搬送経路を切り換えることにより、原稿載置トレイに載置された原稿の画像面の向きに関わらず適切な順で複数の連続する原稿を読み取ることができ、画像形成装置の大型化、複雑化及びコストアップ等を防止しつつ、原稿載置トレイに載置する原稿の画像面の向きを覚える等のユーザの負担を低減することができる画像読取装置及び上記画像読取装置を備えた画像形成装置を提供することにある。
【０００９】
【課題を解決するための手段】
この発明は、上記の課題を解決するために以下の構成を備えている。
【００１０】
（１）原稿載置トレイに載置された原稿を原稿搬送経路に搬送して原稿排紙トレイに排紙する間に画像読取部を介して原稿の画像を読み取る原稿移動方式の画像読取装置において、
単一の画像読取部を経由する複数の原稿搬送経路と、
原稿載置トレイに載置された状態での原稿の画像面が上向きか下向きかを、画像読取部から読み取った原稿の画像データから判別する判別手段と、
前記判別手段の判別結果に基づいて、複数の原稿搬送経路から最適な原稿搬送経路の選択を行う切換手段と、を備えたことを特徴とする。
【００１１】
この構成においては、原稿載置トレイから原稿搬送経路に原稿を搬送して原稿排紙トレイに排紙する間に原稿搬送経路上に形成された画像読取部にて原稿の画像を読み取る原稿移動方式の画像読取装置において、単一の画像読取部を経由する原稿搬送経路が複数設けられ、原稿載置トレイに載置された状態での原稿の画像面の向きを画像読取部から読み取った原稿の画像データから判別する判別手段が備えられる。また、上記判別結果に基づいて、複数の原稿搬送経路から最適な経路の選択を行う切換手段が備えられる。
【００１２】
したがって、上記判別結果に基づいて、複数の原稿搬送経路から最適な原稿搬送経路が切換手段により選択されるため、誤って原稿の画像面ではない面を読み取ってしまうことがないため、ユーザが原稿載置トレイに原稿を載置する際に画像面の向きを考慮する必要がなく、ユーザの負担が増加することがない。
【００１３】
（２）前記切換手段は、前記判別結果に基づいて、原稿の画像面が画像読取部側に対向するように、原稿載置トレイから画像読取部へ原稿を導く最適な原稿搬送経路を選択することを特徴とする。
【００１４】
この構成においては、上記判別結果に基づいて、原稿の画像面の向きが画像読取部側に対向するように、原稿載置トレイから画像読取部に原稿を導くまでの最適な原稿搬送経路が選択される。したがって、原稿の画像面が画像読取部で読み取られるように、画像面が画像読取部側に対向する状態で原稿が搬送されるように最適な原稿搬送経路が選択されるので、誤って原稿の画像面ではない面を読み取ってしまうことがなく、ユーザが原稿載置トレイに原稿を載置する際に画像面の向きを考慮する必要がなく、ユーザの負担が増加することがない。
【００１５】
（３）１つの原稿載置トレイに対して複数の原稿搬送経路のそれぞれに対応した複数の原稿排紙トレイを設けたことを特徴とする。
【００１６】
この構成においては、１つの原稿載置トレイに対する複数の原稿搬送経路のそれぞれに対応する複数の原稿排紙トレイが設けられている。したがって、１つ原稿載置トレイに対して複数の原稿搬送経路のそれぞれに対応するように複数の原稿排紙トレイが配置され、原稿排紙トレイの位置が原稿搬送経路の構成に合わせられる。このため、原稿排紙トレイに排紙される原稿が原稿載置トレイに載置された時の並び順となるように原稿搬送経路が構成されるとともに、原稿を排紙し易い位置に原稿排紙トレイが配置され、原稿の画像の読み取り後から原稿を排紙するために必要な原稿搬送経路が複雑に形成されることがない。
【００１７】
（４）前記複数の原稿搬送経路は、原稿載置トレイから搬送される原稿に対して、上下面を反転させて画像読取部に搬送後、一方の原稿排紙トレイに排紙する一方の原稿搬送経路と、
原稿載置トレイから搬送される原稿に対して、上下面を画像読取部に搬送後に反転させ、他方の原稿排紙トレイに排紙する他方の原稿搬送経路と、を含むことを特徴とする。
【００１８】
この構成においては、複数の原稿搬送経路には、原稿載置トレイから搬送される原稿に対して、上下面を反転させて画像読取部に搬送し、一方の原稿排紙トレイに排紙するように形成されている原稿搬送経路と、原稿載置トレイから搬送される原稿に対して、上下面を画像読取部に搬送した後に反転させ、他方の原稿排紙トレイに排紙するように形成されている原稿搬送経路とが含まれる。したがって、各原稿搬送経路が原稿載置トレイに載置された原稿の面の上下それぞれ向きに対応して画像読取部へ原稿を搬送するように構成され、原稿載置トレイに載置された原稿の画像面の向きが上向き、下向きのどちらでも読み取れる。
【００１９】
また、原稿の排紙に関して、各原稿搬送経路が原稿載置トレイに載置された原稿の面の上下それぞれの向き及び原稿載置トレイに載置された原稿の搬送の順番に対応して原稿が排紙され、原稿排紙トレイに排紙される原稿の載置順が原稿載置トレイに載置された時の並び順と同様になり、さらに各原稿搬送経路に対応して各原稿排紙トレイが配置されるため、原稿を排紙し易い位置に原稿排紙トレイを配置することが容易なので、原稿の画像の読み取り後から原稿を排紙するために必要な原稿搬送経路が複雑になることがない。
【００２０】
（５）原稿載置トレイに載置された状態での原稿の画像面が上向きか下向きかの設定入力を受け付ける入力手段を備え、
前記切換手段は、入力手段からの設定入力の結果に基づいて最適な原稿搬送経路を選択することを特徴とする。
【００２１】
この構成においては、ユーザによる原稿載置トレイの原稿の画像面の向きの設定内容に基づいて原稿搬送経路が選択される。したがって、上記判別手段による原稿の画像面の向きの判別を行わずにユーザの意図する原稿の画像面が読み取られ、判別手段実行の時間が必要ない。
【００２２】
（６）前記切換手段は、原稿載置トレイから搬送される１枚目の原稿について、画像読取部で原稿の一方の面が読み取られた後に、原稿載置トレイに再度搬送可能な状態で戻るように原稿搬送経路を選択することを特徴とする。
【００２３】
この構成においては、原稿載置トレイから搬送される１枚目の原稿は、画像読取部で原稿の一方の面が読み取られた後に、原稿載置トレイに再度搬送可能な状態で戻るように原稿搬送経路が選択される。したがって、原稿載置トレイから搬送される１枚目の原稿は、一方の面が読み取られて再度搬送可能な状態で原稿載置トレイに載置されるため、判別手段による原稿の画像面の向きが判別された後、読み取った一方の面が画像面でない場合に、画像面が読み取られずに排紙されることがなく、画像面を読み直すために再度１枚目の原稿を原稿載置トレイに載置する手間がなく、ユーザの負担が増加することがない。
【００２４】
（７）前記１枚目の原稿の一方の面が、前記判別手段によって原稿の画像面と判別された場合、
前記１枚目の原稿において、原稿搬送経路にスイッチバックして一方の原稿排紙トレイに排紙し、
２枚目以降の原稿において、１枚目の原稿と同じ原稿搬送経路で搬送し、画像読取部にて原稿を読み取らせ、１枚目の原稿と同じ原稿排紙トレイに排紙することを特徴とする。
【００２５】
この構成においては、上記の画像読取部で読み取った１枚目の原稿の一方の面が、判別手段により画像面と判別された場合に、１枚目の原稿が原稿載置トレイから原稿搬送経路にスイッチバックされ、一方の原稿排紙トレイに排紙される。また、２枚目以降の原稿が１枚目の原稿と同じ原稿搬送経路で搬送され、原稿の画像面が読み取られ、１枚目と同じ原稿排紙トレイに排紙される。したがって、１枚目の原稿が原稿搬送経路にスイッチバックされて一方の原稿排紙トレイに排紙され、画像読取部を通過せずに搬送されるので、再度画像を読み取られることがなく、最短経路で排紙される。
【００２６】
また、２枚目以降の原稿も１枚目の原稿と同じ原稿搬送経路で搬送されて同じ排紙トレイに排紙されるため、原稿載置トレイに載置した時と原稿の面の並び順が異なることがなく、同じ並び順で原稿排紙トレイに載置される。
【００２７】
（８）前記１枚目の原稿の一方の面が、前記判別手段によって原稿の画像面ではないと判別された場合、
前記１枚目の原稿において、他方の面を読み取れるように切換手段で原稿搬送経路を選択後、搬送して画像読取部にて他方の面を読み取らせ、一方の原稿排紙トレイに排紙し、
２枚目以降の原稿において、画像面を読み取れるように切換手段で原稿搬送経路を選択後、搬送して画像読取部にて原稿を読み取らせ、他方の排紙トレイに排紙することを特徴とする。
【００２８】
この構成においては、上記の画像読取部で読み取った１枚目の原稿の一方の面が、判別手段により画像面ではないと判別された場合に、切換手段によって１枚目の原稿の他方の面が読み取れるように原稿搬送経路が選択された後、１枚目の原稿が原稿載置トレイから搬送されて画像読取部で他方の面が読み取られ、一方の原稿排紙トレイに排紙される。その後、２枚目以降の原稿が、画像面を読み取れるように上記判別結果に基づいて切り換え手段によって原稿搬送経路が選択された後、２枚目以降の原稿が原稿載置トレイから搬送されて画像読取部で画像面を読み取られて他方の原稿排紙トレイに排紙される。
【００２９】
したがって、１枚目の原稿の画像面である他方の面が読み取られるように原稿搬送経路が選択され、再度画像読取部に搬送されて他方の面を読み取られるため、再度原稿をセットしなおして画像読取を行う必要がなく、また、２枚目以降の原稿においても、上記判別結果に基づいて原稿搬送経路を選択後に画像面が読み取られるので、画像面とは異なる面が読み取られることがなく、ユーザの負担が増加することがない。
【００３０】
（９）画像読取装置に（１）〜（８）の何れかに記載の画像読取装置を備えたことを特徴とする。
【００３１】
この構成においては、原稿載置トレイに載置された原稿の画像面の向きに関わらず複数の原稿の画像面が連続して読み取られるので、誤って原稿の画像面ではない面が画像形成されることがなく、複数の原稿の画像が連続して形成されるので、原稿を原稿載置トレイに載置しなおして画像形成を行う必要がなく、ユーザの負担が増加することがない。
【００３２】
（１０）読み取った原稿の画像データをメモリするメモリを備え、装置の使用目的に応じてデータ転送手順を選択して転送するように制御する制御手段を備えたことを特徴とする。
【００３３】
この構成においては、原稿の画像データをメモリするメモリが備えられ、装置の使用目的に応じてデータ転送手順が選択され転送されるように制御する制御手順が備えられている。したがって、一旦画像データがメモリされ、画像データが読み取られた順番のまま画像形成部に転送されず、装置の使用目的に応じたデータ転送手順が選択され、適切な順番で画像データが転送されるため、誤った順番で画像形成されることがないので、画像形成物の順番を並べ換える必要がなく、ユーザの負担が増加することがない。
【００３４】
【発明の実施の形態】
図１は、この発明の実施形態に係る画像読取装置を備えた画像形成装置の概略の構成を示す図である。画像形成装置２は、プリンタとして動作可能な画像形成部４を内部に有する本体３を備え、本体３の上部に画像読取装置１を搭載する。また、この画像形成装置２は、プリンタ機能の他にファクシミリ機能及び複写機能を有する。
【００３５】
本体３は、画像形成部４の他、内部の下方に用紙トレイ１１、ピックアップローラ１３、１４、レジストローラ１５、定着ローラ１６、排紙ローラ１７及び用紙を搬送する用紙搬送経路Ｓを備え、外部に手差しトレイ１２及び用紙排紙トレイ１８が配置されている。
【００３６】
画像形成部４は、図示しないレーザスキャニングユニット（以下、ＬＳＵと言う。）及びクリーニング装置、本体３の略中央部に位置する感光体ドラム１０が備えられ、感光体ドラム２０の周囲に、現像装置２１、転写装置２２、除電器２３、主帯電器２４が感光体ドラム２０の回転方向である反時計回りの矢印Ｙ方向に沿ってこの順で配置されている。
【００３７】
なお、画像読取装置１の構成及び動作については後述する。
【００３８】
画像読取装置１によって読み取られた原稿の画像面の画像データは、画像処理が施された後に本体３に入力され、ＬＳＵによってレーザ光にされた後、レーザ照射点２５で主帯電器２４によって所定の電位に帯電された感光体ドラム２０の表面に露光される。その際、感光体ドラム２０を矢印Ｙ方向に回転駆動することで、感光体ドラム２０の表面全体に原稿の画像面に対応した静電潜像が形成される。
【００３９】
現像装置２１は、露光された感光体ドラム２０の表面の静電潜像をトナー像に可視像化し、用紙トレイ１１又は手差しトレイ１２から給送された用紙を感光体ドラム２０と転写装置２２との間に用紙を通過させて、感光体ドラム２０上のトナー像を用紙に転写する。その際、図示しないレジスト前検知スイッチの信号に基づいてレジストローラ１５の用紙の給送タイミングが制御され、感光体ドラム２０上のトナー画像と用紙との位置が合わせられる。その後、トナー画像を転写された用紙は、定着ローラ１６を通過することでトナー画像が加熱定着され、分岐爪２６を通過して排紙ローラ１７によって用紙排紙トレイ１８上にフェースダウンで排紙される。
【００４０】
また、画像形成された用紙を排紙する際に、図示しない排紙設定入力手段によって、フェースアップ又はフェースダウンでの排紙をユーザが指定できる。
【００４１】
フェースダウンでの排紙は上述の通りである。フェースアップの場合は、定着ローラ１６上方の分岐爪２６を排紙ローラ１７側に切り換え、定着ローラ１６を通過して画像形成の完了した用紙を排紙ローラ１７側とは反対の用紙搬送路Ｓに搬送し、用紙が分岐爪２６を通過後に分岐爪２６を手差しトレイ側に切り換える。用紙を再度レジストローラ１５、定着ローラ１６を通過させた後に分岐爪２６を通過させて排紙ローラ１７によって用紙排紙トレイ１８に排紙する。
【００４２】
また、クリーニング装置は、用紙にトナー画像の転写が終了した感光体ドラム２０の表面の残留トナーを除去する。除電器２３は、感光体ドラム２０の残留電荷を除去する。
【００４３】
図２は、この発明の実施形態に係る画像読取装置の構成を示す縦断面図である。
【００４４】
図２に示すように、画像読取装置１は、大略的に透明なガラス等から成る原稿載置台３１を境界として、下方に配置されるスキャナ光学系３０、上方に配置される原稿自動給送装置４０が備えられている。
【００４５】
また、画像読取装置１には、原稿載置トレイ４２に載置された状態での原稿の画像面の向きが、上向きか下向きかをユーザによって設定されるこの発明の入力手段である操作パネル８０、上記画像面の向きが設定されていない時に、画像処理部６０から送られてくる原稿の画像データから画像面の向きを判別するこの発明の判別手段を有し、画像読取装置１全体の動作を制御する制御部７０が備えられる。
【００４６】
この発明の画像読取部であるスキャナ光学系３０は、原稿載置台３１上に載置される原稿に光を照射する露光用の光源３２、原稿からの反射光を導く複数の反射鏡３３〜３５、反射光を集光する結像レンズ３６、１走査分の集光された反射光を光電変換する光学ユニット３７、光源３２及び反射鏡３３〜３５を主走査方向に直交する方向である副走査方向に変位させる図示しない走査手段が配置されている。光学ユニット３７は、主走査方向に長い形状であり、ＣＣＤ（電荷結合素子）ラインイメージセンサ等で構成される。
【００４７】
また、原稿載置台３１上には、図２の紙面奥側で回動支持され、紙面の手前側から開閉自在である原稿押え板４１が設けられている。この原稿押え台４１は、原稿載置台３１上に支持されるような状態で接触配置され、上方に回動することで原稿載置台３１上を開放できる。開放された原稿載置台３１上に原稿を載置し、原稿押え板４１を閉じて原稿背面を保持することで原稿を原稿載置台３１に密着させ、スキャナ光学系３０を副走査方向に走査させて原稿固定式で原稿の画像を読み取ることができる。
【００４８】
原稿自動給送装置４０は、原稿押え板４１の右側端部に取り付けられ、原稿を移動させる原稿移動式で原稿の画像を読み取る際の原稿を移動させる機能を有する。この原稿自動給送装置４０には、原稿を搬送する原稿搬送経路として破線で示した第１の原稿搬送経路４３と実線で示した第２の原稿搬送経路４４とが併設され、この第１の原稿搬送経路４３及び第２の原稿搬送経路４４に振り分けて原稿を搬送するために、この発明の切換手段である第１の分岐爪４５、第２の分岐爪４６及び第３の分岐爪５２が備えられている。これらの分岐爪４５、４６、５２は、原稿載置トレイ４２に載置された状態での原稿の画像面の向きが、上向きか下向きかの判別手段による判別結果又はユーザによる設定内容に基づいて原稿搬送経路４３、４４を切り換える。
【００４９】
また、原稿搬送経路４３、４４上には、スキャナ光学系３０によって原稿の画像を読み取る原稿読取位置５９が設けられ、原稿載置トレイ４２に載置された原稿を順次原稿搬送経路４３又は４４上を搬送して原稿読取位置５９にてスキャナ光学系３０に原稿の画像を読み取らせる。さらに、画像を読み取られた原稿を排紙するために、各原稿搬送経路４３、４４のそれぞれに対応した原稿を排紙する下原稿排紙トレイ４９及び上原稿排紙トレイ５０が配置されている。
【００５０】
なお、原稿自動給送装置４０は、原稿載置トレイ４２に載置された原稿が複数の場合、上部の原稿から原稿搬送経路４３、４４に搬送される。
【００５１】
図３及び図４は、この発明の実施形態に係る画像読取装置の制御部の動作を示すフローチャートである。
【００５２】
図３及び図４に示すように、制御部７０は、待機状態から原稿の読取要求を受け（ｓ１）、カラー設定、解像度設定等の原稿の読取条件の読出を行い指定された各設定に変更する（ｓ２）。次に原稿載置トレイ４２に載置された原稿の画像面の向きがユーザにより設定されたか否かを判断する（ｓ３）。設定された場合は、設定内容に基づき画像面が上向きか下向きかを判断する（ｓ４）。
【００５３】
原稿の画像面が上向きと判断された場合は、各分岐爪４５、４６、５２を切り換えて第１の原稿搬送経路４３を構成する（ｓ５）。その後、原稿載置トレイ４２上の原稿をピックアップして第１の原稿搬送経路４３に搬送し（ｓ６）、原稿読取処理を行い（ｓ７）、読み取った原稿を下排紙トレイ４９に排紙する（ｓ８）。次に次原稿の有無を判断して（ｓ９）、原稿が有る場合にはｓ６に戻り、無い場合には待機状態に戻る。
【００５４】
ｓ４において原稿の画像面が下向きと判断された場合は、各分岐爪４５、４６、５２を切り換えて第２の原稿搬送経路４４を構成する（ｓ１０）。その後、原稿載置トレイ４２上の原稿をピックアップして第２の原稿搬送経路４４に搬送し（ｓ１１）、原稿読取処理を行い（ｓ１２）、読み取った原稿を上排紙トレイ５０に排紙する（ｓ１３）。次に次原稿の有無を判断して（ｓ１４）、原稿が有る場合にはｓ６に戻り、無い場合には待機状態に戻る。
【００５５】
一方、ｓ３において原稿の画像面の向きがユーザにより設定されなかった場合、原稿の画像面の指定が無いと判断し（ｓ１５）、各分岐爪４５、４６、５２を切り換えて第１の原稿搬送経路４３を構成する（ｓ１６）。次に原稿載置トレイ１枚目の原稿だけをピックアップして第１の原稿搬送経路４３に搬送し（ｓ１７）、原稿が第１の分岐爪４５を通過したか否かを判定する（ｓ１８）。原稿が第１の分岐爪を通過するまで待機し、通過した後に分岐爪４５、４６を切り換えて１枚目の原稿が再度原稿載置トレイ４２に戻るように原稿搬送経路を構成する（ｓ１９）。その後、原稿読取処理を行い（ｓ２０）、原稿の搬送方向に対する後端を原稿給排紙用３連ローラ５１ａ、５１ｂの間でチャックするまで原稿を搬送し（ｓ２１）、１枚目の原稿の読み取られた面が画像面であるか否かを判断する（ｓ２２）。
【００５６】
上記の読み取った面が画像面である場合、原稿に対して、第２の原稿搬送経路４４と同様な状態に分岐爪４５、４６を切り換えて原稿の搬送方向に対する後端を搬送ローラ５４にチャックするまで搬送する（ｓ２３）。その後、原稿を下排紙トレイ４９に搬送できるように分岐爪４５、４６を切り換えて原稿を排紙し（ｓ２４）、次原稿の有無を判断し（ｓ２５）、次の原稿がある場合は上述したｓ５以降の処理を行い、次の原稿が無い場合は待機状態に戻る。
【００５７】
また、上記の読み取った面が画像面でない場合、原稿載置トレイに画像面が上向きの状態で再度載置された１枚目の原稿の画像面を読み取るため、各分岐爪４５、４６、５２を切り換えて第１の原稿搬送経路４３を構成して（ｓ２６）、１枚目の原稿を搬送し（ｓ２７）、原稿読取処理を行い（ｓ２８）、下排紙トレイ４９に原稿を排紙する（ｓ２９）。その後、次原稿の有無を判断し（ｓ３０）、次の原稿がある場合は上述したｓ１０以降の処理を行い、次の原稿が無い場合は待機状態に戻る。
【００５８】
図５及び図６は、この発明の実施形態に係る画像読取装置の一部の構成を示す縦断面図である。
【００５９】
原稿載置トレイ４２上に原稿の画像面を上向きに載置し、ユーザが操作パネル８０を用いて上記原稿の画像面の向きの設定を上向きにした場合、図５（ａ）に示すように、各分岐爪４５、４６、５２は原稿を第１の原稿搬送経路４３に搬送できるように切り換わる。原稿は、ピックアップローラ４７によって取り込まれ、原稿給排紙用３連ローラ５１ａ、５１ｂの間を通過し、第１の原稿搬送経路４３上を搬送される。その後、ＰＳローラ４８によって原稿の画像を読み取るタイミング合わせが行われ、原稿は原稿読取位置５９に搬送されて画像が読み取られる。
【００６０】
また、第２の分岐爪４６は、原稿を下排紙トレイ４９に搬送するように切り換わっているので、読み取りが終了した原稿は、搬送ローラ５４を通過した後、原稿給排紙用３連ローラ５１ｂ、５１ｃの間を搬送されて下排紙トレイ４９に排紙される。
【００６１】
これに対して、原稿載置トレイ４２に原稿の画像面を下向きに載置し、ユーザが操作パネル８０を用いて上記原稿の画像面の向きの設定を下向きにした場合、図５（ｂ）に示すように、各分岐爪４５、４６、５２は、原稿を第２の原稿搬送経路４４に搬送できるように切り換わる。原稿は、ピックアップローラ４７によって取り込まれ、第２の原稿搬送経路４６上を搬送される。その後、搬送ローラ５４によって原稿の画像を読み取るタイミング合わせが行われて原稿読取位置５９に搬送されて原稿の画像が読み取られる。
【００６２】
また、第３の分岐爪５２は、原稿を上排紙ローラ５０に搬送するように切り換わっているので、読み取りの終了した原稿は、ＰＳローラ４８を通過した後、上排紙ローラ５３によって原稿載置トレイ４２上部の上排紙トレイ５０に排紙される。
【００６３】
なお、原稿搬送経路４３、４４上には、原稿の搬送を確認する原稿入紙センサ５５が配置される。また、原稿読取位置５９には、原稿載置台３１と同一平面を有するプラテンガラス５６が設けられている。このプラテンガラス５６に対向して、原稿背面を保持する保持部材である原稿押え板５７が設けられ、原稿押え板５７がバネ５８等で構成される原稿押え機構でバイアスされることによって、上述のようにプラテンガラス５６と原稿押え板５７との間の原稿読取位置５９に搬送された原稿は、プラテンガラス５６に密着して通過する。
【００６４】
一方、上述のようにユーザが画像読取装置１に対して原稿載置トレイ４２に載置した原稿の画像面の向きの設定をしなかった場合、図６（ａ）に示すように、各分岐爪４５、４６、５２は原稿を第１の原稿搬送経路４３に搬送できるように切り換わり、１枚目の原稿は第１の原稿搬送経路４３上を搬送され、原稿読取位置５９にて原稿の一方の面（原稿載置トレイ４２に載置された状態での上面。）の画像が読み取られる。原稿が第１の分岐爪４５を通過した後、図６（ｂ）に示すように分岐爪４５、４６は原稿を原稿載置トレイ４２に搬送できるように切り換わり、画像読取処理を終了した原稿は搬送ローラ５４を通過し、原稿の進行方向に対する後端が原稿給排紙用３連ローラ５１ａ、５１ｂの間にチャックされた状態となるように原稿載置トレイ４２上に排紙される。
【００６５】
上記の構成は、１枚目の原稿に対して、一方の面が読み取られた後に再度搬送可能な状態で原稿載置トレイ４２に載置するので、上記判別手段によって原稿の画像面の向きを判別した後、読み取った一方の面が画像面でなかった場合、再度原稿搬送経路４３に搬送させることができる。このため、１枚目の原稿の画像面を読み直すために再度原稿を原稿載置トレイ４２に載置する必要がなく、ユーザの負担を低減することができる。
【００６６】
上記１枚目の原稿の一方の面を読み取った画像データから、判別手段によって読み取った面が画像情報のある画像面であるか又は白情報のみの画像情報のない面であるかを判別する。
【００６７】
上記１枚目の原稿の一方の面が画像面であった場合、つまり原稿載置トレイ４２に載置された原稿の画像面の向きが上向きであった場合、１枚目の原稿は、画像データの有無を判別するために搬送されて、再度原稿載置トレイ４２上に原稿の画像面を下向きにして載置された状態である。したがって、この１枚目の原稿を排紙するために、図５（ｂ）に示すように、原稿が第２の原稿搬送経路４４に搬送されるように分岐爪４５、４６が切り換わる。これにより１枚目の原稿は、原稿給排紙用３連ローラ５１ａ、５１ｂの間にチャックされた状態からスイッチバックし、第２の原稿搬送経路４４上を搬送ローラ５４に原稿の搬送方向に対する後端がチャックされるまで搬送される。その後、１枚目の原稿に対して、下排紙トレイ４９に排紙できるように分岐爪４５、４６が切り換わり、搬送ローラ５４チャックされた状態からスイッチバックして下排紙トレイ４９に排紙される。
【００６８】
その後、２枚目以降の原稿は、画像面が上向きである判別結果に基づいて、各分岐爪４５、４６、５２が第１の原稿搬送経路４３を構成し、上述した原稿の画像面が上向きの場合と同様の方法で搬送され、画像面が読み取られ、下原稿排紙トレイ４９に排紙される。
【００６９】
上記構成は、１枚目の原稿をスイッチバックして下原稿排紙トレイ４９に排紙するので、画像読位置５９を通過せずに搬送でき、再度画像を読み取らずに最短経路で短時間で排紙できる。
【００７０】
また、２枚目以降の原稿も１枚目の原稿と同じ第１の原稿搬送経路４３で搬送して画像面を読み取り、同じ下排紙トレイ４９に排紙するので、原稿載置トレイに載置した時の並び順で原稿を排紙でき、原稿を並べ換える必要がなくなり、ユーザの負担を低減することができる。さらに、２枚目以降の原稿も途切れずに読み取れるので、複数の原稿を連続して読み取ることができる。
【００７１】
これに対し、上記１枚目の原稿の一方の面が画像面でなかった場合、つまり、原稿載置トレイ４２に載置された原稿の画像面の向きが上述の場合と逆の下向きであった場合、この場合も上述の場合と同様に１枚目の原稿は、原稿載置トレイ４２上に載置された状態であるが、画像面の向きは上述の場合とは逆であるため上向きの状態となる。したがって、１枚目の原稿の画像面はまだ読み取られていないので、最初に１枚目の原稿の画像面を読み取るため、図５（ａ）に示すように、原稿を第１の原稿搬送経路４３に搬送できるように各分岐爪４５、４６、５２が切り換わり、１枚目の原稿は、原稿給排紙用３連ローラ５１ａ、５１ｂの間にチャックされた状態からスイッチバックし、第１の原稿搬送経路４３を搬送されて画像面を読み取られ、下排紙トレイ４９に排紙される。
【００７２】
その後、２枚目以降の原稿は、画像面が下向きである判別結果に基づいて、各分岐爪４５、４６、５２が第２の原稿搬送経路４４を構成し、上述した原稿の画像面が下向きの場合と同様の方法で搬送され、画像面が読み取られ、上原稿排紙トレイ５０に排紙される。
【００７３】
上記構成は、１枚目の原稿の画像面である他方の面を読み取れるように第１の原稿搬送経路４３を選択し、再度原稿読取位置５９に搬送して他方の面を読み取ることができるので、再度原稿をセットしなおして１枚目の画像読取を行う必要がない。また、２枚目以降の原稿においても、上記判別結果に基づいて第２の原稿搬送経路４４を選択した後に画像面を読み取ることができ、画像面とは異なる面を読み取られず、原稿をセットし直す必要がなく、ユーザの負担を低減することができる。さらに、２枚目以降の原稿も途切れずに読み取れるので、複数の原稿を連続して読み取ることができる。
【００７４】
この発明の実施形態では、原稿載置トレイ４２が１つ、原稿排紙トレイ４９、５０が２つで構成されているが、この発明はこれに限定されるものではない。１つの原稿載置トレイに対する複数の原稿搬送経路のそれぞれに対応した原稿排紙トレイが設けられていればよい。
【００７５】
つまり、１つ原稿載置トレイに対する複数の原稿搬送経路のそれぞれに対応するように複数の原稿排紙トレイを配置することによって、原稿排紙トレイの位置を原稿搬送経路の構成に合わせることができる。このため、原稿排紙トレイに排紙される原稿を原稿載置トレイに載置された時の並び順となるように原稿搬送経路を容易に構成することができ、また原稿を排紙し易い位置に原稿排紙トレイを容易に配置することができるので、原稿の画像の読み取り後から原稿を排紙するために必要な原稿搬送経路を単純に形成でき、コストを抑えることができる。また、原稿載置トレイに載置された時の並び順で原稿を排紙できるので、並べ換える必要がなくなり、ユーザの負担を低減することができる。
【００７６】
また、この発明の画像形成装置２は、画像データをメモリする図示しないメモリ及び画像データの転送手順を選択する図示しない制御手段を備えている。画像データを読み取った順番のまま画像形成部４には転送せず、一旦このメモリにメモリし、画像形成機能やＦＡＸ機能の装置の使用目的に応じたデータ転送手順を選択するので、適切な順番で画像形成することができ、誤った順番で画像形成することを防止でき、画像形成された用紙等の順番が逆になる等で用紙を並べ換える等のユーザの負担を低減することがきる。
【００７７】
例えば、画像形成において、原稿載置トレイ４２に原稿を画像面が下向きで載置した場合、原稿は最後のページから読み取られるため、従来は読み取った順番で画像形成してしまうと、フェースダウンで排紙される場合は、ページの並び順が逆になってしまい、ユーザが並べ換えなければならいが、制御手段によって画像データの転送手順が変更されるため、正しい順序で画像形成されて用紙排紙トレイ１８に排紙される。
【００７８】
以上のようにして、この発明の実施形態に係る画像読取装置１では、複数の原稿搬送経路４３、４４を備え、原稿の画像データから原稿載置トレイ４２に載置された状態での原稿の画像面の向きを判別する判別手段を設け、上記判別結果に基づいて原稿搬送経路４３、４４を選択する切換手段である分岐爪４５、４６、５２を備えることによって、原稿の画像面が画像読取部側に対向するように最適な原稿搬送経路４３又は４４を選択できるので、画像面の向きが上下どちらであっても読み取ることができ、誤って原稿の画像面ではない面を読み取ることを防止できるため、ユーザが原稿載置トレイ４２に原稿を載置する際に画像面の向きを考慮する必要がなくなり、ユーザの負担を低減することができる。
【００７９】
また、原稿載置トレイ４２から第１及び第２の原稿搬送経路４３、４４のうち第１の原稿搬送経路４３を経由して搬送される原稿に対して、上下面を反転させて原稿読取位置５９に搬送し、下原稿排紙トレイ４９に排紙するように形成するとともに、原稿載置トレイ４２から第２の原稿搬送経路４４を経由して搬送される原稿に対して、上下面を原稿読取位置５９に搬送した後に反転させ、上原稿排紙トレイ５０に排紙するように形成する。これによって、第１の原稿搬送経路４３は、原稿載置トレイ４２に載置された原稿の画像面が上向きの場合に画像面を原稿読取位置５９側にして原稿を搬送でき、原稿搬送経路４４は、上記原稿の画像面が下向きの場合に画像面を原稿読取位置５９側にして原稿を搬送できる。
【００８０】
つまり、各原稿搬送経路４３、４４は、原稿載置トレイ４２に載置された原稿の画像面の上下それぞれの向きに対応して原稿を搬送するように構成されている。そのため、原稿載置トレイ４２に載置された原稿の画像面の向きが上向き、下向きのどちらでも読み取ることができる。
【００８１】
原稿の排紙に関して、原稿の画像面の上下それぞれの向き及び原稿の載置トレイ４２に載置された原稿の搬送の順番に対応し、原稿搬送経路４３は、上記原稿の画像面の向きが上向きに対応し、原稿は１ページ目から順に搬送されて下原稿排紙トレイ４９にフェースダウンで排紙される。また、原稿搬送経路４４は、上記原稿の画像面の向きが下向きに対応し、原稿は最終ページから順に搬送されて上原稿排紙トレイ５０にフェースアップで排紙される。この発明の画像読取装置１の構成では、原稿載置トレイ４２に載置された原稿の上部から搬送するので、原稿排紙トレイ４９、５０に排紙される原稿の並び順を原稿載置トレイ４２に載置された時の並び順と同様にでき、原稿を並べ換える必要がなくなり、ユーザの負担を低減することができる。
【００８２】
さらに、各原稿搬送経路４３、４４に対応して各原稿排紙トレイ４９、５０が配置されるため、原稿を排紙し易い位置に原稿排紙トレイ４９、５０を容易に配置することでき、原稿の画像の読み取り後から原稿を排紙するために必要な原稿搬送経路４３、４４を単純に形成することができる。
【００８３】
なお、この発明の画像読取装置１の構成では、原稿の搬送の順番は原稿載置トレイ４２に載置された原稿の上部からであるが、特にこれに限定されるものではない。原稿の搬送の順番及び上記原稿の画像面の向きに対応して最適な原稿搬送経路４３、４４を選択すれば上記と同様の効果を得ることができる。
【００８４】
また、ユーザによる原稿載置トレイ４２の原稿の画像面の向きの設定内容に基づいて原稿搬送経路４３、４４を選択する。これにより、上記判別手段による原稿の画像面の向きの判別を行わずに、ユーザの意図する原稿の画像面を読み取ることができ、判別手段実行の時間を省くことができ、より早く原稿の画像面を読み取ることができる。
【００８５】
一方、上記構成の画像読取装置１を画像形成装置２に備えることによって、原稿載置トレイ４２に載置された原稿の画像面の向きに関わらず、複数の原稿の画像面を連続して読み取ることができるので、複数の原稿の画像を連続して形成することができ、誤って原稿の画像面ではない面を画像形成することを防止でき、不必要な画像形成を行うことを防止できる。また、ユーザが原稿載置トレイ４２に原稿を載置する際に画像面の向きを考慮する必要がなくなり、ユーザの負担を低減することができる。
【００８６】
【発明の効果】
この発明によれば、以下の効果を奏することができる。
【００８７】
（１）画像読取部から読み取った原稿の画像データから判別させた原稿の画像面の向きに基づいて、複数の原稿搬送経路から最適な原稿搬送経路の選択をすることにより、画像面の向きが上下どちらであっても画像面である面を読み取ることができ、誤って原稿の画像面ではない面を読み取ることを防止でき、ユーザが原稿載置トレイに原稿を載置する際に画像面の向きを考慮する必要がなくなり、ユーザの負担を低減することができる。
【００８８】
（２）上記判別結果に基づいて、原稿の画像面の向きが画像読取部側に対向するように、最適な原稿搬送経路を選択することによって、誤って原稿の画像面ではない面を読み取ってしまうことを防止でき、ユーザが原稿載置トレイに原稿を載置する際に画像面の向きを考慮する必要がなくなり、ユーザの負担を低減することができる。
【００８９】
（３）複数の原稿搬送経路のそれぞれに対応する複数の原稿排紙トレイを設けることによって、原稿排紙トレイの位置を原稿搬送経路の構成に合わせることができる。このため、原稿排紙トレイに排紙される原稿の並び順が原稿載置トレイに載置された時の並び順となるように原稿搬送経路を容易に構成することができ、また原稿を排紙し易い位置に原稿排紙トレイを容易に配置することができるので、原稿の画像の読み取り後から原稿を排紙するために必要な原稿搬送経路を単純に構成でき、コストを抑えることができる。また、原稿載置トレイに載置された時の並び順で原稿を排紙できるので、原稿を並べ換える必要がなくなり、ユーザの負担を低減することができる。
【００９０】
（４）各原稿搬送経路を原稿載置トレイに載置された原稿の面の上下それぞれの向きに対応して画像読取部へ原稿を搬送するように構成し、また原稿の排紙に関して、各原稿搬送経路を原稿載置トレイに載置された原稿の面の上下それぞれの向き及び原稿載置トレイに載置された原稿の搬送の順番に対応して原稿を排紙するように構成することによって、原稿載置トレイに載置された原稿の画像面の向きが上向き、下向きのどちらでも読み取れることができる。
【００９１】
また、原稿排紙トレイに排紙される原稿を原稿載置トレイに載置された時の並び順と同様に載置することができ、原稿を並べ換える必要がなくなり、ユーザの負担を低減することができる。さらに各原稿搬送経路に対応して各原稿排紙トレイが配置されるため、原稿を排紙し易い位置に原稿排紙トレイを容易に配置することでき、原稿の画像の読み取り後から原稿を排紙するために必要な原稿搬送経路を単純に形成することができる。
【００９２】
（５）ユーザによる原稿載置トレイの原稿の画像面の向きの設定の内容に基づいて原稿搬送経路を選択することによって、上記判別手段による原稿の画像面の向きの判別を行わずに、ユーザの意図する原稿の画像面を読み取ることができ、判別手段の実行の時間を省くことができ、より早く原稿の画像面を読み取ることができる。
【００９３】
（６）１枚目の原稿に対して、一方の面が読み取られた後に再度搬送可能な状態で原稿載置トレイに載置しなおすことによって、上記判別手段による原稿の画像面の向きを判別した後、読み取った一方の面が画像面でない場合に、再度原稿搬送経路に搬送させることができるため、１枚目の原稿の画像面を読み取ることができる。そのため１枚目の原稿の画像面を読みなおすために再度原稿を原稿載置トレイに載置する必要がなく、ユーザの負担を低減することができる。
【００９４】
（７）上記の画像読取部で読み取った１枚目の原稿の一方の面が画像面である場合、１枚目の原稿を原稿搬送経路にスイッチバックして一方の原稿排紙トレイに排紙し、また２枚目以降の原稿も１枚目の原稿と同じ原稿搬送経路で搬送して同じ排紙トレイに排紙することによって、１枚目の原稿は画像読取部を通過せずに搬送でき、再度画像を読み取られずに最短経路で短時間で排紙できる。
【００９５】
また、２枚目以降の原稿は原稿載置トレイに載置した時の並び順で原稿を排紙でき、原稿を並べ換える必要がなくなり、ユーザの負担を低減することができる。さらに、２枚目以降の原稿も途切れずに読み取れるので、複数の原稿を連続して読み取ることができる。
【００９６】
（８）上記の画像読取部で読み取った１枚目の原稿の一方の面が画像面ではない場合、１枚目の原稿の画像面である他方の面を読み取れるように原稿搬送経路を選択し、再度画像読取部に搬送して他方の面を読み取り、また２枚目以降の原稿においても、上記判別結果に基づいた原稿搬送経路の選択後に画像面を読み取ることによって、再度原稿をセットしなおして１枚目の画像読取を行う必要がなく、また２枚目の原稿も、画像面と異なる面を読み取られて原稿をセットしなおす必要がなくなり、ユーザの負担を低減することができる。さらに、２枚目以降の原稿も途切れずに読み取れるので、複数の原稿を連続して読み取ることができる。
【００９７】
（９）上記構成の画像読取装置を画像形成装置に備えることによって、原稿載置トレイに載置された原稿の画像面の向きに関わらず複数の原稿の画像面を連続して読み取ることができるので、複数の原稿の画像を連続して形成することができ、誤って原稿の画像面ではない面を画像形成することを防止でき、不必要な画像形成を行うことを防止できる。また、ユーザが原稿載置トレイに原稿を載置する際に画像面の向きを考慮する必要がなくなり、ユーザの負担を低減することができる。
【００９８】
（１０）一旦画像データをメモリし、装置の使用目的に応じたデータ転送手順を選択して転送するように制御することによって、画像データを読み取った順番のまま画像形成部に転送せず、装置の使用目的に応じたデータ転送手順を選択して適切な順番で画像形成することができるので、誤った順番で画像形成することを防止でき、画像形成物の順番を並べなおす必要がなくなり、ユーザの負担を低減することがきる。
【図面の簡単な説明】
【図１】この発明の実施形態に係る画像読取装置を備えた画像形成装置の概略の構成を示す図である。
【図２】この発明の実施形態に係る画像読取装置の構成を示す縦断面図である。
【図３】この発明の実施形態に係る画像読取装置の制御部の動作を示すフローチャートである。
【図４】同フローチャートである。
【図５】この発明の実施形態に係る画像読取装置の一部の構成を示す縦断面図である。
【図６】この発明の実施形態に係る画像読取装置の一部の構成を示す縦断面図である。
【符号の説明】
１−画像読取装置
２−画像形成装置
４−画像読取部
３０−スキャナ光学系
４０−原稿自動給送装置
４２−原稿載置トレイ
４３−原稿搬送経路
４４−原稿搬送経路
４５−第１の分岐爪
４６−第２の分岐爪
４９−下原稿載置トレイ
５０−上原稿載置トレイ
５１ａ−原稿給排紙用３連ローラ
５１ｂ−原稿給排紙用３連ローラ
５１ｃ−原稿給排紙用３連ローラ
５２−第３の分岐爪
５４−搬送ローラ
５９−原稿読取位置
７０−制御部
８０−操作パネル
【図１】
2004104247.tif 000003
【図２】
2004104247.tif 000004
【図３】
2004104247.tif 000005
【図４】
2004104247.tif 000006
【図５】
2004104247.tif 000007
【図６】
2004104247.tif 000008